(57)【要約】【課題】  専用治具を使用することなく、ムーブメント内の輪列が所定時刻の状態か否か等を確認でき、表示指針を、輪列の時刻と一致する位置に取り付けること等が可能な計時装置及びその組立方法を提供する。【解決手段】  表示指針が取り付けられ、この表示指針を駆動する輪列を有するムーブメント３５０を備え、このムーブメント３５０が、輪列が所定時刻の輪列状態か否かを検出する検出スイッチと、この検出スイッチに電気的に接続され、文字板２０２の外周近傍に相当する位置に配置された端子３６０、３６１とを備えるようにした。【選択図】      図２
2006234668.tif 000002
【特許請求の範囲】
【請求項１】
文字板と、この文字板が取り付けられるムーブメントとを備える計時装置において、
前記ムーブメントが、当該計時装置の電気特性を確認するための端子を備え、この端子が、前記文字板の外周近傍に相当する位置に配置されていることを特徴とする計時装置。
【請求項２】
前記ムーブメントは、文字板と表示指針とが取り付けられ、前記表示指針を駆動する輪列を備えたムーブメントであり、
当該ムーブメントが、前記輪列が所定時刻の輪列状態か否かを検出する検出スイッチを備え、この検出スイッチに前記端子が電気的に接続されていることを特徴とする請求項１に記載の計時装置。
【請求項３】
前記ムーブメントが、前記文字板よりもその外側に延出する延出部を備え、この延出部における文字板側の面に、前記端子が配置されていることを特徴とする請求項２に記載の計時装置。
【請求項４】
前記ムーブメントが、前記文字板の外周近傍の裏面に対して間隔を空けて対向する対向部を備え、この対向部における文字板側の面に、前記端子が配置されていることを特徴とする請求項２に記載の計時装置。
【請求項５】
前記検出スイッチが、グランドラインに非接続の第１接点と、グランドラインに接続され、前記輪列が所定時刻の輪列状態の場合に前記第１接点と導通する第２接点とを有し、
前記端子が、前記第１接点に電気的に接続された端子であることを特徴とする請求項２乃至４のいずれかに記載の計時装置。
【請求項６】
前記ムーブメントが、前記第２接点に電気的に接続されたグランド端子を備え、前記グランド端子が、前記文字板の外周近傍に相当する位置に配置されていることを特徴とする請求項５に記載の計時装置。
【請求項７】
前記検出スイッチが、前記輪列が２４時の輪列状態のときに導通するスイッチであることを特徴とする請求項２乃至６のいずれかに記載の計時装置。
【請求項８】
前記ムーブメントが、暦表示機構と、前記輪列が前記所定時刻の輪列状態の場合に、前記暦表示機構を駆動可能な駆動部とを備えることを請求項２乃至７のいずれかに記載の計時装置。
【請求項９】
請求項２乃至７のいずれかに記載のムーブメントに対し、導通検出器から延びる一方のプローブを、前記文字板の外周近傍に相当する位置に配置された前記端子に接触させると共に、前記導通検出器から延びる他方のプローブを、前記ムーブメントの前記検出スイッチに電気的に接続された所定箇所に接触させて、前記導通検出器により前記端子と前記所定箇所との間の導通が検出されるまで、前記輪列を駆動し、導通が検出されたら前記輪列を停止し、前記表示指針を、前記所定時刻に合わせて前記ムーブメントに取り付けることを特徴とする計時装置の組立方法。
【発明の詳細な説明】
【技術分野】
【０００１】
本発明は、文字板と、この文字板が取り付けられるムーブメントとを備える計時装置及びその組立方法に関する。
【背景技術】
【０００２】
従来より、時・分・秒・２４時等を示す表示指針を駆動するムーブメントを備えたアナログ電子時計（計時装置）が知られている（例えば、特許文献１）。
この種の計時装置には、ムーブメントが、暦を表示する暦表示機構と、ムーブメント内の輪列が２４時の状態になったことを検出する２４時検出機能とを具備し、２４時検出をトリガーにして暦送りを行うものが提案されている。
係る計時装置においては、２４時検出時に、表示指針が指し示す時刻が２４時となるように表示指針を取り付ける必要があるため、ムーブメント内の回路基板から輪列が２４時の状態になったことを電気的に取り出すための専用治具をムーブメントに取り付け、このムーブメント内の輪列が２４時の状態となるまでリューズを回し、専用治具を用いて２４時を検出した時点でリューズを止めて、表示指針を２４時の位置に取り付けるようにしていた。
【特許文献１】特開２００３−２５５０６３号公報
【発明の開示】
【発明が解決しようとする課題】
【０００３】
しかし、従来の構成では、ムーブメント内の輪列が２４時の状態になったことを検出するには専用治具を必要とするため、専用治具を持たない工程（外装取り付け工程等）では、２４時の輪列状態か否かを確認できなかった。また、専用治具が未配備のアフターサービス店舗等があった場合には、２４時の輪列状態か否かを確認できないため、表示指針を輪列の時刻と一致する位置に取り付けることができなくなってしまう一方、これら全てに専用治具を配備すると莫大な費用がかかってしまう。
本発明は、上述した事情に鑑みてなされたものであり、専用治具を使用することなく、ムーブメント内の輪列が所定時刻の状態か否か等を確認でき、表示指針を、輪列の時刻と一致する位置に取り付けること等が可能な計時装置及びその組立方法を提供することを目的としている。
【課題を解決するための手段】
【０００４】
上記課題を解決するため、本発明は、文字板と、この文字板が取り付けられるムーブメントとを備える計時装置において、前記ムーブメントが、当該計時装置の電気特性を確認するための端子を備え、この端子が、前記文字板の外周近傍に相当する位置に配置されていることを特徴とする。この構成によれば、計時装置の電気特性を確認するための端子を、ムーブメントが文字板の外周近傍に相当する位置に備えるので、ムーブメント内の回路基板から計時装置の電気特性を取り出すための専用治具を使用しなくても、上記端子を介して計時装置の電気特性を容易に確認することが可能になる。
また、上記構成において、前記ムーブメントは、文字板と表示指針とが取り付けられ、前記表示指針を駆動する輪列を備えたムーブメントであり、当該ムーブメントが、前記輪列が所定時刻の輪列状態か否かを検出する検出スイッチを備え、この検出スイッチに前記端子が電気的に接続されていることを特徴とする。この構成によれば、専用治具を使用しなくても、上記端子を用いて検出スイッチの開閉を検出することによって、ムーブメント内の輪列が所定時刻の輪列状態か否かを確認することができる。
【０００５】
また、上記構成において、前記ムーブメントが、前記文字板よりもその外側に延出する延出部を備え、この延出部における文字板側の面に、前記端子を配置してもよい。また、上記構成において、前記ムーブメントが、前記文字板の外周近傍の裏面に対して間隔を空けて対向する対向部を備え、この対向部における文字板側の面に、前記端子を配置してもよい。また、上記構成において、前記検出スイッチが、グランドラインに非接続の第１接点と、グランドラインに接続され、前記輪列が所定時刻の輪列状態の場合に前記第１接点と導通する第２接点とを有し、前記端子が、前記第１接点に電気的に接続された端子であってもよい。
また、上記構成において、前記ムーブメントが、前記第２接点に電気的に接続されたグランド端子を備え、前記グランド端子が、前記文字板の外周近傍に相当する位置に配置されるようにしてもよい。また、前記検出スイッチが、前記輪列が２４時の輪列状態のときに導通するスイッチであってもよい。また、前記ムーブメントが、暦表示機構と、前記輪列が前記所定時刻の輪列状態の場合に、前記暦表示機構を駆動可能な駆動部とを備えていてもよい。
【０００６】
また、本発明は、計時装置の組立方法において、前記ムーブメントに対し、導通検出器から延びる一方のプローブを、前記文字板の外周近傍に相当する位置に配置された前記端子に接触させると共に、前記導通検出器から延びる他方のプローブを、前記ムーブメントの前記検出スイッチに電気的に接続された所定箇所に接触させて、前記導通検出器により前記端子と前記所定箇所との間の導通が検出されるまで、前記輪列を駆動し、導通が検出されたら前記輪列を停止し、前記表示指針を、前記所定時刻に合わせて前記ムーブメントに取り付けることを特徴とする。
この構成によれば、導通検出器から延びる一方のプローブを、文字板の外周近傍に相当する位置に配置され、輪列が所定時刻の輪列状態か否かを検出する検出スイッチに電気的に接続された端子に接触させ、導通検出器から延びる他方のプローブを、ムーブメントの検出スイッチに電気的に接続された所定箇所に接触させて、導通が検出されるまでムーブメント内の輪列を駆動し、導通が検出されたら輪列を停止して、表示指針を所定時刻に合わせてムーブメントに取り付けるので、専用治具を使用しなくても、表示指針を輪列の時刻と一致する位置に取り付けることができる。
【発明の効果】
【０００７】
本発明は、ムーブメントが、当該計時装置の電気特性を確認するための端子を備え、この端子が、文字板の外周近傍に相当する位置に配置されているので、ムーブメント内の回路基板から計時装置の電気特性を取り出す専用治具を使用しなくても、上記端子を介して計時装置の電気特性を容易に確認することが可能になる。
【発明を実施するための最良の形態】
【０００８】
以下、図面を参照して本発明の一実施形態について説明する。本実施形態では、本発明を腕時計に適用した場合について例示する。なお、以下の説明において、日付は全て太陽暦に従うものとする。
【０００９】
図１は、本発明の一実施形態に係る腕時計の外観構成を示す図である。図１に示すように、腕時計（計時装置）１は、時計本体部１ａと、この時計本体部１ａに連結されたベルト１ｂとを備えて構成されている。時計本体部１ａは、筐体２００と、この筐体２００内に設けられた円盤状の文字板２０２とを備え、この文字板２０２の上面には、秒針６１と、分針（長針）６２と、時針（短針）６３からなる３つの表示指針が設けられている。文字板２０２には、その円周に沿って、時刻を示す記号（図示せず）が等間隔に配置されており、表示指針６１〜６３の各々が指し示す記号（本実施形態では、記号には文字も含まれるものとする）により、現在時刻が表示される。
【００１０】
また、文字板２０２には、略矩形にくり抜かれてなる日表示窓２０４と、２４時表示部２０５と、月表示部２０６と、年表示窓２０８とがそれぞれ設けられている。日表示窓２０４には、暦の「日」を示す「１」乃至「３１」のいずれか１の数字が表示される。この場合、後述するように、１位の数字と１０位の数字とは別々の日車（暦表示車）に付され、暦の「日」は、各日車に付された数字によって表示される。２４時表示部２０５には、その円周に沿って、２４等分された時刻を示す記号が等間隔に配置されており、２４時表示針（表示指針）２０５ａが指し示す記号により「時間」が表示される。
【００１１】
また、月表示部２０６には、その円周に沿って、暦の「月」を示す、例えば「ＪＡＮ」（１月を示す）〜「ＤＥＣ」（１２月を示す）のいずれか１の記号が等間隔に配置され、月表示針（表示指針）２０６ａが指し示す記号により暦の「月」が表示される。また、年表示窓２０８には、閏年から何年目であるかを示す、数字「０」乃至「３」のいずれか１の数字が表示され、閏年であれば、数字「０」を表示し、それ以降、「１」「２」「３」を表示する。これにより、ユーザは暦の「年」を知ることができる。
【００１２】
図２に示すように、文字板２０２（図２中、輪郭のみを示す）の裏側には、ムーブメント３５０が配置されている、ムーブメント３５０は、図３に示すように、円盤状の地板３０３と、この地板３０３の時計表側に配置される表側押さえ板３０４と、地板３０３の時計裏側に配置される裏側押さえ板３０５と、当該ムーブメントに回転可能に連結された回転錘４５とを備え、この地板３０３を挟んで、表側押さえ板３０４との間にオートカレンダ機構（暦表示機構）を備え、裏側押さえ板３０５との間に時計としての基本機構（時計輪列を含む）が配置されている。
【００１３】
上記地板３０３は、オートカレンダ機構及び表示指針６１〜６３を駆動する運針機構（時計輪列を含む）Ｅの各歯車軸の一端を軸支し、上記表側押さえ板３０４は、オートカレンダ機構の各歯車軸の他端を軸支し、裏側押さえ板３０５は、運針機構Ｅの各歯車軸の他端を軸支する。また、表側押さえ板３０４の時計表側には、図２に示すように、オートカレンダ機構の一部を構成する１位の日車８９、１０位の日車９２及び年表示車２０８ａが取り付けられ、これらを覆うように文字板２００が載置される。
また、地板３０３には、外部操作部材を構成するリューズ３９９（図１）が巻真４００を介して連結され、このリューズ３９９は、多段階に亘って軸方向に引き出し自在に支持され、リューズ３９９の引き出しがない通常位置（０段引きの位置（図１に示す位置））では、リューズ３９９は空回りし、１段引きの位置では、リューズ３９９の回転により暦修正が可能となり、２段引きの位置では、リューズ３９９の回転により時刻修正が可能に構成されている。なお、本実施形態では、リューズ３９９がムーブメント３５０の３時位置に取り付けられているが、これに限らず、他の位置に取り付けてもよい。
【００１４】
図４はオートカレンダ機構を示す図である。このオートカレンダ機構は、上記地板３０３の一方の面（時計１の表側）に支持され、その駆動源は、圧電アクチュエータ（駆動手段）７１である。この圧電アクチュエータ７１は、振動子である圧電素子を備え、この圧電素子の振動により、ロータ７２の外周部を突っつき、これによって、当該ロータ７２を回転させる。このロータ７２を含む、以下に説明する減速輪列等がいわゆる歯車輪列を構成している。すなわち、このロータ７２はロータかな７２ａを一体に備え、このロータかな７２ａには、中間車７４が噛み合う。この中間車７４の中間車かな７４ａには、中間車７５が噛み合い、その中間車かな７５ａには、中間車７６が噛み合う。この中間車７６は、制御車かな７７に噛み合い、この制御車かな７７は、制御車７８と一体に形成される。ここまでは制御車７８を回すための減速輪列である。なお、２１１は、制御車かな７７の位置決め用のジャンパである。
【００１５】
また、上述した中間車７５には、図５に示すように、圧電ロータ７２の送り量検出用のばねスイッチ３００が設けられている。このばねスイッチ３００は、中間車７５の回転に応じて開閉される機械式スイッチであり、弾性を有する金属材料、例えば、リン青銅やステンレス鋼等で形成され、中間車７５の支持軸に固定されたばね接点３０１と、地板３０３に配置された回路基板３０３ａ（図６）上に設けられ、この中間車７５と共に回転するばね接点３０１を介して導通する導通端子部３０２とから構成される。この導通端子部３０２は、圧電ロータ７２の送り量が暦を１日分送る送り量になる毎に、つまり、その送り量に対応する角度だけ中間車７５が回転する毎に、ばね接点３０１を介して導通した状態（閉状態）から非導通の状態（開状態）に切り替わるように、回路基板３０３ａの配線パターンの一部として構成されている。この導通端子部３０２は、後述する制御部Ａ（図８）と電気的に接続され、制御部Ａは、このばねスイッチ３００の開状態から閉状態への切り替わりを検出することにより、圧電ロータ７２の送り量が暦を１日分送る送り量となったことを検出する。すなわち、このばねスイッチ３００は、圧電ロータ７２の送り量を検出するロータ送り量検出手段として機能する。
【００１６】
制御車７８は、爪数が異なる複数の爪車を備え、いずれかの爪車が、図４中、制御車７８の上方に位置する、１位の日車８９を回す日回し車８７と、１０位の日車９２を回す日回し車９０と、図中で制御車７８の右下に位置する、月車（暦表示車）８２を回す月表示中間車７９とにそれぞれ噛み合う。ここで、１位の日車８９の外周表面には「０」〜「９」の数字が周方向に等間隔に表示され、１０位の日車９２の外周表面には「空領域」と「１」〜「３」の数字が周方向に等間隔に表示される。なお、「空領域」とは数字の記載がない領域で、該当日が一桁の「日」（すなわち、１日〜９日）に相当するとき、１０位に位置付けられる。
【００１７】
上述した日表示窓２０４には、１位の日車８９上の数字「０」〜「９」と、１０位の日車９２上の「空領域」或いは数字「１」〜「３」との組み合わせにより、暦の「日」を示す「１」乃至「３１」のいずれかの数字が表示される。
上述した制御車７８が回転すると、まず、１位の日車８９に対応する歯車体の１位送り爪を介して、日回し車８７及び１位日かな８８が回転し、これと一体に１位の日車８９が回転し、その外周表面上の数字「０」〜「９」が、原則的に、１日に１回の割合で周方向に一つ送られる。この制御車７８の回転に応じて、１位の日車８９の回転が進み、１０位が繰り上がる日付に至ると、今度は、１０位の日車９２に対応した歯車体の１０位送り爪を介して、日回し車９０及び１０位日かな９１が回転し、これと一体に１０位の日車９２が回転し、その外周表面上の「空領域」或いは数字「１」〜「３」が、１０日に１回の割合で周方向に一つ送られる。
【００１８】
また、制御車７８の回転に対応して、１位の日車８９及び１０位の日車９２の回転が進み、「月」の表示が繰り上がる日付に至ると、今度は、月車８２に対応した歯車体の月送り爪を介して、月表示中間車７９及び月検出車８０が回転し、これと一体に月車８２が回転する。そして、月車８２に接続された月表示針２０６ａが回転し、月表示部２０６上の暦の「月」を示す「ＪＡＮ」（１月を示す）〜「ＤＥＣ」（１２月を示す）のいずれか１の記号が指し示され、暦の「月」表示が行われる。
【００１９】
月検出車８０には、年表示中間車８３が噛み合い、この年表示中間車８３には年送り車８４が噛み合う。そして、この年送り車８４には、年表示車２０８ａを回す年車（暦表示車）８５が噛み合う。この年表示車２０８ａの表面（時計表側）には、「０」〜「４」の数字が周方向に等間隔に表示される。この場合、年送り車８４は、１年の期間を経て、初めて年車８５を９０°回転させるように構成される。従って、年表示車２０８ａは１年に１回送られ、年表示窓２０８には、数字「０」〜「４」が順に表示され、例えば、それは閏年から何年目であるかを表示し、これにより、暦の「年」が表示される。
【００２０】
すなわち、このオートカレンダ機構は、圧電ロータ７２の回転を歯車輪列を介して減速して制御車７８を回転し、この制御車７８の回転により、日車（１位の日車８９及び１０位の日車９２）、月車８２及び年車８５をそれぞれ回転するように構成されている。本実施形態では、この圧電ロータ７２と制御車７８との間の減速輪列に含まれる中間車７５に上記ばねスイッチ３００を設けているので、このばねスイッチ３００がばね接点３０１との接触によって中間車７５に与える負荷トルクが中間車７５の回転トルクよりずっと小さくなっている。このため、この負荷トルクがオートカレンダ機構の駆動に与える影響は支障がない程度に小さくなっている。
【００２１】
上記２４時表示部２０５では、その駆動力が、オートカレンダ機構の駆動源とは異なり、地板３０３の裏側に配置された運針機構Ｅの駆動源から取られる。すなわち、運針機構Ｅの筒車（時針（短針）６３を支持する筒車）に筒車体９３が一体化されており、この筒車体９３には、２４時検出車９４が噛み合う。そして、この２４時検出車９４には、２４時車９５が噛み合い、この２４時車９５の回転により、２４時表示針２０５ａが回転する。この２４時表示針２０５ａは１時間に１回送られる。
【００２２】
この２４時検出車９４には、図６に示すように、中間車７５に設けられた上記ばねスイッチ３００と略同様のばねスイッチ（検出スイッチ）３１０が設けられ、このばねスイッチ３１０は、２４時検出車９４の回転軸に固定されたばね接点９７と、地板３０３に配置された回路基板３０３ａ上に設けられ、２４時検出車９４と共に回転するばね接点９７を介して導通する導通端子部（第１接点）９７ａ及び導通端子部（第２接点）９７ｂとから構成される。
導通端子部９７ａ、９７ｂは、２４時検出車９４が「午前零時（２４時）」の回転位置の場合に、ばね接点９７を介して導通するように、回路基板３０３ａの配線パターンの一部として構成されている。この導通端子部９７ａ、９７ｂは、この導通端子部９７ａ、９７ｂから延びる配線９７ａ１、９７ｂ１を介して制御部Ａと電気的に接続され、制御部Ａは、このばねスイッチ３１０の導通を検出することにより、運針機構Ｅが「午前零時（２４時）」の輪列状態か否かを検出する。すなわち、このばねスイッチ３１０は、２４時の輪列状態となったことを検出する２４時検出スイッチとして機能する。
【００２３】
次に、カレンダ検出（年検出、月検出及び日検出）について説明する。
上記構成において、年表示中間車８３の中間車かな８３ａには、年検出車８６が噛み合い、この年検出車（検出車）８６には上記ばねスイッチ３００と略同様のばねスイッチ３２０が設けられる。具体的には、図４及び図７に示すように、年検出車８６には、ばね接点９６が設けられ、このばね接点９６と対向する回路基板３０３ａ上には、年検出車８６の回転に応じて、年検出車８６と共に回転するばね接点９６を介して導通する導通端子部９６Ｔが設けられる。この導通端子部９６Ｔは、表示される年が「閏年」か否かで導通（閉状態）或いは非導通（開状態）となるように形成されている。この導通端子部９６Ｔは、後述する制御部Ａと電気的に接続され、制御部Ａは、ばねスイッチ３２０の開閉を検出することにより、該当年が「閏年」か「非閏年（平年）」のいずれかを検出する。
【００２４】
また、上記月検出車（検出車）８０には、表示される月が「大」の月か否かを検出するばねスイッチ３３１と、表示される月が、２月を除く「小」の月か否かを検出するばねスイッチ３３２が設けられる。具体的には、図２及び図７に示すように、月検出車８０の支持軸には、ばね接点９８が設けられ、このばね接点９８と対向する回路基板３０３ａ上に、月検出車８０と共に回転するばね接点９８を介して導通する導通端子部９８Ｔとして、表示される月が「大」の月の場合に導通（閉状態）或いは非導通（開状態）となる導通端子部９８Ｔ１と、表示される月が２月を除く「小」の月の場合に導通（閉状態）或いは非導通（開状態）となる導通端子部９８Ｔ２とが形成される。導通端子部９８Ｔ１、９８Ｔ２は、後述する制御部Ａに配線接続され、制御部Ａは、ばねスイッチ３３１及び３３２の開閉の組み合わせを検出することにより、表示されている「月」が、「２月」か、２月を除く「小の月」か、或いは「大の月」かのいずれかを検出する。
【００２５】
また、１位の日車（検出車）８９及び１０位の日車（検出車）９２の裏面には、反射領域と非反射領域とが設けられた光検出用パターン（図示せず）が設けられ、図６に示すように、地板３０３に設けられた基板上には、このパターンを読みとる複数のフォトリフレクタ（反射型フォトセンサ）１００、１０１、１０２、１０３が配置されている。具体的には、１０位の日車９２と対向する回路基板３０３ａ上には、異なる位置に光を照射してその反射光を受光する２つのフォトリフレクタ１０２、１０３が配置され、この日車９２の裏面には、各フォトリフレクタ１０２、１０３によって、表示されている日が、「００ｏｒ１０」、「２０」、「３０」のいずれかを判別可能にする光検出用パターンが設けられている。
また、１位の日車８９と対向する基板上にも、２つのフォトリフレクタ１００、１０１が配置され、この日車８９の裏面には、各フォトリフレクタ１００、１０１によって、表示されている１位の「日」が「２〜８」、「９」、「０」、「１」のいずれかを判別可能にする光検出用パターンが設けられる。これらフォトリフレクタ１００〜１０３は制御部Ａに配線接続され、制御部Ａは、フォトリフレクタ１００〜１０３の検出結果に基づいて、表示されている１０位の「日」が、「０ｏｒ１」か、「２」か、「３」のいずれかを検出すると共に、表示されている１位の「日」が、小の月には存在しない日（２９、３０、３１）の１位の日である「９」か、「０」か、「１」か、それとも「２〜８」のいずれかを検出する。
【００２６】
上述したように、本実施形態では、ロータ７２に対する減速比が小さい歯車、すなわち、回転トルクが小さい歯車（日車８９、９２）を用いる日検出には、非接触検知のため比較的耐久性が高いフォトリフレクタ１００〜１０３を用い、その他のカレンダ検出には、ばねスイッチを用いることで、耐久性にも負荷トルク低減にも消費電力の低減にも優れたカレンダ検出機構が提供されている。
【００２７】
図８は、腕時計１の電気的構成を機械的構成と共に示す図である。同図に示すように、腕時計１は、制御部Ａと、発電部Ｂと、電源部Ｃと、指針駆動部Ｄと、運針機構Ｅと、日付機構駆動部Ｆと、オートカレンダ機構（ロータ７２のみを示す）とを備えている。
【００２８】
発電部Ｂは、交流電力を発電するものであり、回転錘４５を備えている。この回転錘４５は、ユーザの手首などの動きに伴って旋回可能に設けられており、回転錘４５の旋回（運動エネルギー）が増速用ギア４６を介して発電装置４０に伝達されるようになっている。発電装置４０は、発電用ステータ４２と、この発電用ステータ４２の内部に回転可能に設けられた発電用ロータ４３と、発電用ステータ４２に電気的に接続された発電コイル４４とを備えており、発電用ロータ４３が回転錘４５の旋回（運動エネルギー）により回転し、この回転により発電コイル４４に交流電圧が誘起されるようになっている。つまり、腕時計１がユーザに装着されている間、ユーザが何らかの動作をするに伴い、回転錘４５が旋回することにより、発電が行われる。
【００２９】
電源部Ｃは、発電部Ｂからの交流電圧を整流して蓄電し、蓄電した電力を昇圧して各構成部分へ給電する。具体的に説明すると、電源部Ｃは、整流回路として作用するダイオード４７、大容量コンデンサ４８及び昇降圧回路４９から構成されている。昇降圧回路４９は、３つの容量４９ａ、４９ｂ及び４９ｃを用いて多段階の昇圧及び降圧ができるようになっており、制御部Ａからの制御信号によって指針駆動部Ｄに供給する電圧を調整することができる。また、昇降圧回路４９の出力電圧はモニタ信号によって制御部Ａにも供給されており、これによって、制御部Ａは、出力電圧をモニタしている。ここで、電源部Ｃは、Ｖｄｄ（高電圧側）を基準電位（グランド）に取り、Ｖｓｓ（低電圧側）を電源電圧として生成している。
【００３０】
指針駆動部Ｄは、制御部Ａの制御の下、運針機構Ｅに様々な駆動パルスを供給するものである。本実施形態では、指針駆動部Ｄは、秒針６１を駆動する秒針駆動部Ｄ１と、時針６３、分針６２及び２４時表示針２０５ａを駆動する時分針駆動部Ｄ２とから構成されている。さらに説明すると、秒針駆動部Ｄ１は、直列に接続されたｐチャンネルＭＯＳ３３ａとｎチャンネルＭＯＳ３２ａ、及びｐチャンネルＭＯＳ３３ｂとｎチャンネルＭＯＳ３２ｂによって構成されたブリッジ回路を備えている。また、秒針駆動部Ｄ１は、ｐチャンネルＭＯＳ３３ａ及び３３ｂとそれぞれ並列に接続された回転検出用抵抗３５ａ及び３５ｂと、これらの抵抗３５ａ及び３５ｂにチョッパパルスを供給するためのサンプリング用のｐチャンネルＭＯＳ３４ａ及び３４ｂを備えている。したがって、これらのＭＯＳ３２ａ、３２ｂ、３３ａ、３３ｂ、３４ａ及び３４ｂの各ゲート電極に制御部Ａからそれぞれのタイミングで極性及びパルス幅の異なる制御パルスが印加されることにより、運針機構Ｅの一部を構成する秒針運針機構Ｅ１に、例えば極性の異なる駆動パルスなどの様々の駆動パルスを供給することができるようになっている。
【００３１】
また、時分針駆動部Ｄ２は、秒針駆動部Ｄ１と略同様に構成され、制御部Ａから極性及びパルス幅の異なる制御パルスが印加されることにより、運針機構Ｅの一部を構成する時分針運針機構Ｅ２に、例えば極性の異なる駆動パルスなどの様々の駆動パルスを供給することができるようになっている。
【００３２】
運針機構Ｅは、秒針運針機構Ｅ１と時分針駆動部Ｅ２から構成される。秒針運針機構Ｅ１は、ステッピングモータ１０を備え、このステッピングモータ１０により秒針６１を回転駆動する。詳述すると、ステッピングモータ１０は、秒針駆動部Ｄ１から供給される駆動パルスによって磁力を発生する駆動コイル１１と、この駆動コイル１１によって励磁されるステータ１２と、さらに、ステータ１２の内部において励磁される磁界により回転するロータ１３を備えている。また、ステッピングモータ１０は、ロータ１３がディスク状の２極の永久磁石によって構成されたＰＭ型（永久磁石回転型）で構成されている。ステータ１２には、駆動コイル１１で発生した磁力によって異なった磁極がロータ１３の周りのそれぞれの相（極）１５及び１６に発生するように磁気飽和部１７が設けられている。また、ロータ１３の回転方向を規定するために、ステータ１２の内周の適当な位置には内ノッチ１８が設けられており、コギングトルクを発生させてロータ１３が適当な位置に停止するようにしている。このステッピングモータ１０のロータ１３の回転は、かなを介してロータ１３に噛合された秒中間車５１及び秒車５２からなる輪列５０によって秒針６１に伝達され、秒針６１が回転駆動される。
【００３３】
また、時分針駆動部Ｅ２は、ステッピングモータ２０を備えており、ステッピングモータ２０が分針６２を回転駆動することにより、この分針６２の回転に連動して、時針６３と２４時表示針２０５ａとを回転駆動する。詳述すると、ステッピングモータ２０は、上記ステッピングモータ１０と同様に、ステータ２２とロータ２３を備え、ステータ２２には、駆動コイル２１で発生した磁力によって異なった磁極がロータ２３の周りのそれぞれの相（極）２５及び２６に発生するように磁気飽和部２７Ａが設けられている。また、ロータ２３の回転方向を規定するために、ステータ２２の内周の適当な位置には内ノッチ２８Ａが設けられ、コギングトルクを発生させてロータ２３が適当な位置に停止するようになっている。
【００３４】
このステッピングモータ２０のロータ２３の回転は、かなを介してロータ２３に噛合された四番車２６、三番車２７、二番車２８、日の裏車２９、筒車（時指示車）９３ａ、筒車体９３、２４時検出車９４及び２４時車９５からなる輪列３０によって各針に伝達される。二番車２８には分針６２が接続され、筒車９３ａには時針６３が接続され、さらに、２４時車９５には２４時表示針２０５ａが接続されている。ロータ２３の回転に連動してこれらの各針によって時分が表示される。
【００３５】
日付機構駆動部Ｆは、制御部Ａの制御の下、圧電アクチュエータ７１の圧電素子に交流電圧を印加することにより、圧電アクチュエータ７１に振動を生じさせ、この振動により圧電ロータ７２の外周部を突っついて当該圧電ロータ７２を回転駆動させ、これによって、オートカレンダ機構を駆動するものである。
【００３６】
制御部Ａは、腕時計１の各部を制御するものであり、指針駆動部Ｄ及び運針機構Ｅを制御して、秒針６１、時針６３、分針６２及び２４時表示針２０５ａを回転駆動して現在時刻を表示させ、２４時検出車９４に設けられたばねスイッチ３００が閉状態（導通状態）となった場合、この２４時検出をトリガーにして日付機構駆動部Ｆによりオートカレンダ機構を駆動して暦送りを行う。この暦送り時には、まず、オートカレンダ機構を１日分だけ回転駆動する１日送り処理が実行され、送られた日を検出して非存在日であるか否かを判定するカレンダ検出処理が実行され、非存在日であると判断すると、実際の存在日を表示させるべくオートカレンダ機構を駆動していわゆる月末補正を行うカレンダ補正処理が実行される。
【００３７】
さて、本実施形態では、図２及び図３に示すように、ムーブメント３５０の地板３０３が、文字板２０２よりも大径の円盤状に形成され、この文字板２０２より外側に延出する外縁部（延出部）３０３ｂには、チェック端子３６０と共通端子３６１とが間隔を空けて配置されている。
このチェック端子３６０及び共通端子３６１は、図３に示すように、地板３０３に配置される回路基板３０３ａの配線パターンの一部として形成され、地板３０３の外縁部３０３ｂには、略１０時〜１１時位置の領域Ｒ１と、略１１時〜１２時位置の領域Ｒ２とを除いて、時計表側に立設する壁部３１０ａ、３１０ｂ及び３１０ｃが一体形成されている。この地板３０３には、回路基板３０３ａが、その一部を、壁部３１０ａ、３１０ｂ間及び壁部３１０ｂ、３１０ｃ間に嵌るように配置されて地板３０３に位置決めされ、この位置決め状態のときに、チェック端子３６０が領域Ｒ１に配置され、共通端子３６１が領域Ｒ２に配置されるようになっている。
本実施形態では、文字板２０２の外径が３０．０ｍｍであり、地板３０３の外径が３２．２ｍｍであり、この地板３０３に回路基板３０３ａを配置した場合に、チェック端子３６０と共通端子３６１とが地板３０３の３０．０〜３１．８ｍｍの範囲に位置するように構成されている。なお、地板３０３の時計表側に配置される表側押さえ板３０４は、文字板２０２の外径と略同様か文字板２００より小径の形状に形成され、チェック端子３６０と共通端子３６１との時計表側を覆わない形状に形成されている。
【００３８】
図６に示すように、チェック端子３６０には、２４時検出スイッチとして機能するばねスイッチ３１０の導通端子部９７ａから延出する配線９７ａ１が接続され、また、共通端子３６１には、ばねスイッチ３１０の導通端子部９７ｂから延出する配線９７ｂ１が接続される。ここで、共通端子３６１に接続される配線９７ｂ１はグランドラインであるため、共通端子３６１はグランド端子として機能する。上記構成により、このムーブメント３５０においては、チェック端子３６０と共通端子３６１との導通を検出することにより、ばねスイッチ３０１が閉状態にあるか否か、つまり、ムーブメント３５０が２４時の輪列状態か否かを検出できるようになっている。
【００３９】
本構成では、ムーブメント３５０が、外部に露出する位置に、２４時検出スイッチとして機能するばねスイッチ３１０の一方の導通端子部９７ａに配線接続されるチェック端子３６０と、他方の導通端子部９７ｂに配線接続される共通端子３６１とを備えるので、市販の簡易電流電圧計（いわゆるテスター）等の導通検出機能を有する検出器（導通検出器）から延びる一方のプローブを、チェック端子３６０に接触させ、他方のプローブを共通端子３６１に接触させることが容易で、ばねスイッチ３１０の開閉（導通／非導通）を容易に検出することができる。
このため、回路基板３０３ａから導通端子部９７ａ、９７ｂ間の導通を電気的に取り出すための専用治具を用いなくても、ばねスイッチ３１０の開閉（導通／非導通）を検出でき、専用治具を持たない工程（外装取り付け工程等）やアフターサービス店舗でも、ムーブメント３５０が２４時の輪列状態か否かを確認することができる。また、このチェック端子３６０と共通端子３６１を使用することによって、ムーブメント３５０の電気特性を確認することもできる。
【００４０】
また、本構成では、チェック端子３６０と共通端子３６１とが配置される地板３０３が、文字板２０２より大径に形成され、この地板３０３の外縁部（延出部）３０３ｂの時計表側から、チェック端子３６０と共通端子３６１とが露出するので、ムーブメント３５０に文字板２０２を取り付けた状態でも、チェック端子３６０と共通端子３６１とが外部から視認可能であり、文字板２０２を取り付けた状態でも時計表側からムーブメント３５０が２４時の輪列状態か否か等を確認することができる。
さらに、本構成では、チェック端子３６０と共通端子３６１とが配置される地板３０３が、これら端子３６０、３６１の周りに立設する壁部３１０ａ、３１０ｂ及び３１０ｃを備えるので、この壁部３１０ａ、３１０ｂ間、及び、壁部３１０ｂ、３１０ｃ間に、導通検出器から延びる２本のプローブを挿入すれば、各プローブをチェック端子３６０と共通端子３６１とに容易に接触させてその接触状態に保持させることができる。
【００４１】
ところで、ムーブメント３５０に表示指針（時針６３、分針６２、２４時表示針２０５ａ、月表示針２０６ａ）を取り付ける場合、作業者が、リューズ３９９を時刻調整可能な２段引きの状態にして、導通検出器を用いてムーブメント３５０が２４時の輪列状態か否かを確認しながら、２４時の輪列状態になるまでリューズ３９９を回す作業が必要となる。
本構成では、チェック端子３６０と共通端子３６１とを、ムーブメント３５０の左側半分の領域内に配置しているので、一人の作業者が、左手に箸を持つような持ち方で２本のプローブを持ってチェック端子３６０と共通端子３６１との導通／非導通を確認しながら、空いている右手で、ムーブメント３５０の右側に配置されたリューズ３９９を操作することができる。
この場合、リューズ３９９の操作は、作業者がムーブメント３５０を手前に引き寄せて行うのが一般的である。かかる作業状態では、ムーブメント３５０を作業者の近くに配置するため、左手に持つプローブは、ムーブメント３５０の略１０時〜１２時位置の範囲が当てやすい場合がある。本構成では、チェック端子３６０と共通端子３６１とを、ムーブメント３５０の略１０時〜１２時位置の範囲に配置しているので、左手に持った２本のプローブで２４時の輪列状態か否かを確認しながら、２４時の輪列状態になるまでリューズ３９９を回す作業がし易くなっている。但し、チェック端子３６０と共通端子３６１との配置位置は、これに限らず、例えば、ムーブメント３５０の左側に相当する略６時〜略１２時位置のいずれの位置にしてもよい。
【００４２】
このため、本構成では、ムーブメント３５０に表示指針（時針６３、分針６２、２４時表示針２０５ａ、月表示針２０６ａ）を取り付ける場合、作業者が、導通検出器から延びる２本のプローブを左手で持って、ムーブメント３５０のチェック端子３６０と共通端子３６１とに各々接触させ、導通が検出されるまで右手でリューズ３９９を回し、導通が検出されたらリューズ３９９の操作を止めて、その状態で、表示指針を、２４時に合わせてムーブメント３５０に取り付けることにより、専用治具を使用することなく、ムーブメント３５０内の運針機構Ｅの時刻状態と一致する時刻の位置に各表示指針を組み付けることが可能となる。
【００４３】
上述した実施形態は、あくまでも本発明の一態様を示すものであり、本発明の範囲内で任意に変形が可能である。例えば、上述した実施形態では、ムーブメント３５０の地板３０３を、文字板２０２よりも大径の円盤状に形成する場合について例示したが、要は、ムーブメント３５０において、文字板２０２の外周近傍に相当し、導通検出器のプローブを接触可能な位置にチェック端子３６０及び共通端子３６１を配置するように構成すればよい。
具体的には、図９に示すように、地板３０３を文字板２０２と略同径に形成した場合には、この地板３０３の外周部の時計表側にチェック端子３６０を配置し、このチェック端子３６０と文字板２０２との間に、導通検出器のプローブが入る程度の間隙αが形成されるように、表側押さえ板３０４を文字板２０２よりも小径化しておけばよい。この構成によっても、専用治具を使用することなく、ムーブメント３５０が２４時の輪列状態か否か等を容易に確認することができる。なお、図９は、ムーブメント３５０を１２時方向から見た側面図であり、チェック端子３６０を９時位置に配置した場合を示している。
【００４４】
また、上述した実施形態では、ムーブメント３５０に、チェック端子３６０と、グランドラインとして機能する共通端子３６１とを配置する場合を例示したが、グランドライン（共通ライン）が、ムーブメント構成部材（地板３０３、表側押さえ板３０４等）に電気的に接続されている場合等、導通検出器のプローブをムーブメントの外部からグランドラインに接触可能な構成の場合には、チェック端子３６０とこのグランドラインとの間の導通を検出すればよいので、共通端子３６１を省略し、チェック端子３６０だけとしてもよい。
【００４５】
また、上述の実施形態では、機械式スイッチとしてばねスイッチを用いる場合について例示したが、ばねスイッチの代わりに、その他の機械式スイッチを適用してもよい。また、上述の実施形態では、圧電アクチュエータ７１によりオートカレンダ機構を駆動する場合について例示したが、圧電アクチュエータ７１に代えて、モータ等の他の駆動部を用いてオートカレンダ機構を駆動するようにしてもよい。また、上述の実施形態では、日表示窓２０４と、２４時表示部２０５と、月表示部２０６と、年表示窓２０８とを有する時計に本発明を適用する場合について例示したが、日や曜日だけを表示する時計や、２４時表示を行う時計等の様々な計時装置に適用可能である。なお、本発明の実施形態では、太陽暦を使用したもので説明したが、太陰暦を使用してもよいのは勿論である。
【００４６】
また、上述の実施形態において、チェック端子３６０、或いは、この端子３６０に加えて、この端子３６０と同様に、ムーブメント３５０に文字板２０２を取り付けた状態でも利用可能な端子を更に設け、この端子からムーブメント３５０内のモータの駆動信号や基準クロック信号を出力するようにしてもよい。このようにすれば、ムーブメント３５０に文字板２０２を取り付けた状態でも、専用治具を使用することなく、モータ駆動波形や基準クロック波形を確認することができる。さらに、上記端子から、発電部Ｂの発電量を示す情報（発電電力そのものも可）を出力してもよく、また、この計時装置がソーラパネルを備え、このパネルが文字板とほぼ同じサイズに形成されてムーブメントに取り付けられる構成をとる場合等に、このソーラパネルの発電量を示す情報を上記端子から出力するようにしてもよく、要は、この計時装置の任意の電気特性を上記端子を介して確認可能に構成することが可能である。
【図面の簡単な説明】
【００４７】
【図１】本発明の一実施形態に係る腕時計の外観構成を示す図である。
【図２】文字板とムーブメントを示す図である。
【図３】文字板とムーブメントを１２時方向から見た側面図である。
【図４】オートカレンダ機構を示す図である。
【図５】圧電ロータの送り量検出用のばねスイッチを説明するための図である。
【図６】地板と回路基板を示す図である。
【図７】年検出および月検出のためのばねスイッチを説明するための図である。
【図８】ムーブメントの電気的構成を機械的構成と共に示す図である、
【図９】変形例に係る文字板とムーブメントを１２時方向から見た側面図である。
【符号の説明】
【００４８】
１…腕時計（計時装置）、２０２…文字板、６１…秒針（表示指針）、６２…分針（表示指針）、６３…時針（表示指針）、７１…圧電アクチュエータ、１００〜１０３…フォトリフレクタ、２０５ａ…２４時表示針（表示指針）、２０６ａ…月表示針（表示指針）、３００、３１０、３２０、３３１、３３２…ばねスイッチ、３０３…地板、３０４…表側押さえ板、３０５…裏側押さえ板、３５０…ムーブメント、３９９…リューズ、Ａ…制御部、Ａ１…時計制御部、Ａ２…カレンダ制御部、Ｂ…発電部、Ｃ…電源部、Ｄ…指針駆動部、Ｅ…運針機構、Ｆ…日付機構駆動部
【図１】
2006234668.tif 000003
【図２】
2006234668.tif 000004
【図３】
2006234668.tif 000005
【図４】
2006234668.tif 000006
【図５】
2006234668.tif 000007
【図６】
2006234668.tif 000008
【図７】
2006234668.tif 000009
【図８】
2006234668.tif 000010
【図９】
2006234668.tif 000011